(57)【要約】【課題】  扉開放防止という本来の目的を確実に達成できる扉開放防止具を得る。【解決手段】  側壁１ａを有する天板１と天板１との間に所望の隙間を有するように配置された底板３とを備えた一対の固定保持部材５と、固定保持部材５の前記隙間に設けられた一対の係止手段７と、係止手段７に係止可能な一対の係止片９を両端に有すると共に、所望長さに形成された可撓性を有する帯状の連結部材１１と、を備えてなり、係止手段７は、連結部材１１の係止片９に係止可能な係止部２３と、係止部２３を常時係止方向に付勢する付勢手段２５と、付勢手段２５の付勢力に抗して係止部２３の係止片９に対する係止を解除操作する操作部２７とを備えてなる。【選択図】  図１
2006070432.tif 000002
【特許請求の範囲】
【請求項１】
側壁を有する天板と該天板との間に所望の隙間を介して配置された底板とを備えた一対の固定保持部材と、該固定保持部材の前記隙間に設けられた係止手段と、該係止手段に係止可能な係止片を両端に有すると共に、所望長さに形成された可撓性の帯材を有する連結部材と、を備えてなり、
前記係止手段は、前記連結部材の係止片に係止可能な係止部と、該係止部を常時係止方向に付勢する付勢手段と、該付勢手段の付勢力に抗して前記係止部の前記係止片に対する係止を解除操作する操作部とを備えてなることを特徴とする扉開放防止具。
【請求項２】
側壁を有する天板と該天板との間に所望の隙間を介して配置された底板とを備えた一対の固定保持部材と、該固定保持部材の前記隙間に設けられた一対の係止手段と、該係止手段に係止可能な一対の係止片を両端に有すると共に、所望長さに形成された可撓性の帯材を有する連結部材と、を備えてなり、
前記係止手段は、前記連結部材の係止片に係止可能な係止部と、該係止部を常時係止方向に付勢する付勢手段と、該付勢手段の付勢力に抗して前記係止部の前記係止片に対する係止を解除操作する操作部とを備えてなることを特徴とする扉開放防止具。
【請求項３】
係止手段の係止部と連結部材の係止片とが係止状態にあるときに前記係止片の背後に近接配置されて前記係止片が背後に撓むのを防止する撓み防止部材を設けたことを特徴とする請求項１又は２に記載の扉開放防止具。
【請求項４】
撓み防止部材は、係止手段の係止部と連結部材の係止片の係止動作の際にガイド部材として機能することを特徴とする請求項３記載の扉開放防止具。
【発明の詳細な説明】
【技術分野】
【０００１】
本発明は、キャビネット、戸棚あるいは冷蔵庫などの扉の開放を防止する扉開放防止具に関する。
【背景技術】
【０００２】
キャビネットや戸棚、あるいは冷蔵庫などの扉は、通常、本体側に設けた磁石と、扉側に設けた鉄製の吸着材とからなる磁石錠を有し、扉を閉じると吸着材が磁石に吸着されロックするようになっている。
しかしながら、このような磁石錠は、ある程度の外力が加わるとロックが簡単に解除されてしまうので、幼児などのいたずらにより扉が開いてしまい、キャビネットや戸棚内の物が落下したり、あるいは幼児が戸棚内の物を飲食したりするなどのおそれがあり、危険である。また、冷蔵庫の場合は、幼児などが扉を開いたまま放置すると、保冷効果が低下するばかりでなく、電力の無駄使いなる。
【０００３】
このように幼児などの悪戯による扉の開放を防止する必要性が高く、従来から扉開放防止具の提案がなされている。従来提案された扉の開放防止具として、例えば、側壁を備えて天板と底板との間に所望の隙間を有するように合成樹脂成型品で形成した一対の固定保持部材と、棒状で端部を鶏頭状に形成したつまみ部と中間部に係止爪を備え、かつ前記固定保持部材の隙間に差し込み可能に係止部を対峙させて設けた一対の係止部材と、可撓性を有する素材で構成された所望長さの帯材の両端に設けた連結部を前記係止部に連結する接続部材とで構成したことを特徴とするものがある（特許文献等１参照）。
【特許文献１】実用新案登録第３０５６９８３号公報
【発明の開示】
【発明が解決しようとする課題】
【０００４】
上記従来の扉開放防止具における一対の係止部材は、端部を鶏頭状に形成したつまみ部と中間部に係止爪を備えた棒状体からなるものである。そして、一対の係止部材は固定保持部材の隙間に差し込み可能に形成されると共に互いの係止部を対峙させて設置されている。
上記係止部材は可撓性を有する素材から形成され、一対のつまみ部を指に挟んで幅を狭めることにより、係止部材における係止爪と固定保持部材との係止を外すようにする。
このような従来の係止部材においては、係止力を係止部材の素材の弾性力によって得ている。そのため、係止及び係止解除の動作を繰り返しているうちに、弾性力が弱くなったり、あるいは変形により係止が十分出来なくなったりして、確実な係止ができなくなる可能性がある。
【０００５】
また、係止力を得るために係止方向に付勢力を作用させる必要があるが、逆に係止を外すにはその付勢力に抗して操作する必要がある。そして、係止を確実に行うためには付勢力が強いことが好ましいが、付勢力が強すぎると操作がやりにくくなるので、操作性の観点からは付勢力はあまり強くない方が好ましい。
このような機能が要求される係止部材において、従来においては、係止部材そのものの弾性力によって付勢力を得ていた。そのため、操作性の観点から手指で挟んで幅を狭める動作をしたときに容易に撓むような形状・材質によって係止部材が形成されていた。
このため、例えば幼児が扉をむりやり開けようとした場合のように係止部材に何らかの力が作用したときに係止部材に撓みが生じ、係止が外れてしまう可能性があった。
【０００６】
本発明は係る課題を解決するためになされたものであり、係止動作を繰り返した場合や扉を無理やり開こうとした場合などにも係止が外れ易くなったり、実際に外れたりすることのない信頼性の高い扉開放防止具を得ることを目的としている。
【課題を解決するための手段】
【０００７】
（１）本発明に係る扉開放防止具は、側壁を有する天板と該天板との間に所望の隙間を介して配置された底板とを備えた一対の固定保持部材と、該固定保持部材の前記隙間に設けられた係止手段と、該係止手段に係止可能な係止片を両端に有すると共に、所望長さに形成された可撓性の帯材を有する連結部材と、を備えてなり、前記係止手段は、前記連結部材の係止片に係止可能な係止部と、該係止部を常時係止方向に付勢する付勢手段と、該付勢手段の付勢力に抗して前記係止部の前記係止片に対する係止を解除操作する操作部とを備えてなることを特徴とするものである。
【０００８】
（２）本発明に係る扉開放防止具は、側壁を有する天板と該天板との間に所望の隙間を介して配置された底板とを備えた一対の固定保持部材と、該固定保持部材の前記隙間に設けられた一対の係止手段と、該係止手段に係止可能な一対の係止片を両端に有すると共に、所望長さに形成された可撓性の帯材を有する連結部材と、を備えてなり、前記係止手段は、前記連結部材の係止片に係止可能な係止部と、該係止部を常時係止方向に付勢する付勢手段と、該付勢手段の付勢力に抗して前記係止部の前記係止片に対する係止を解除操作する操作部とを備えてなることを特徴とするものである。
【０００９】
（３）また、上記（１）又は（２）に記載のものにおいて、係止手段の係止部と連結部材の係止片とが係止状態にあるときに前記係止片の背後に近接配置されて前記係止片が背後に撓むのを防止する撓み防止部材を設けたことを特徴とするものである。
撓み防止部材を設けたことにより、係止片を背後に撓ますような力が作用しても係止片が背後に撓むことがなく、係止片の撓みによって係止が外れるのを防止できる。
【００１０】
（４）また、上記（３）に記載の撓み防止部材は、係止手段の係止部と連結部材の係止片の係止動作の際にガイド部材として機能することを特徴とするものである。
撓み防止部材にガイド部材としての機能を付加することで、係止手段の係止部と連結部材の係止片との係止動作をスムーズに行うことができる。
【発明の効果】
【００１１】
本発明においては、連結部材の係止片とは別に該係止片に係止する係止手段を固定保持部材側に設け、該係止手段に常時係止方向に付勢する付勢手段を設けたので、従来例のように係止片側に付勢力を備える必要がなく、係止片側に弾性力を有する素材を用いたり撓みやすい形状にしたりする必要がない。そのため、係止の繰り返しや係止片に力が作用したような場合にも係止片が変形して係止が外れるようなことがなく、係止を確実にでき信頼性が高い。
【発明を実施するための最良の形態】
【００１２】
図１は本発明の一実施の形態に係る扉開放防止具の平面図、図２は底面図、図３は正面図、図４は右側面図、図５は図１の矢視Ａ−Ａ断面図、図６は図３の矢視Ｂ−Ｂ断面図である。
本実施の形態に係る扉開放防止具の構成を概説すると、側壁１ａを有する天板１と該天板１との間に所望の隙間を介して配置された底板３とを備えた一対の固定保持部材５と、該固定保持部材５の前記隙間に設けられた一対の係止手段７と、該係止手段７に係止可能な一対の係止片９を有する係止部材１０と該一対の係止部材１０を連結する所望長さに形成された可撓性を有する帯材１２からなる連結部材１１と、を備えてなるものである。
以下、図１〜図６を参照にしながら、本実施の形態の各構成を詳細に説明する。
【００１３】
天板１は、図１、図６に示すように、平面視で略卵形をしており、その一端側（一対の固定保持部材５が対向する側）に切り欠きを有しており、この切り欠きが組み立て状態において連結部材１１の係止部材１０が挿入可能な開口部１３を形成している。
また、天板１の中央より少し後方寄りの両側壁にも切り欠きが設けられており、この切り欠きが組み立て状態において係止手段７の操作部２７が突出可能な窓部１５を形成している。
さらに、天板１の裏面側（組立状態で内側）には、図６に示すように、係止手段７の移動をガイドする第１ガイド部１７が設けられている。また、連結部材１１の係止部１０が開口部１３に挿入されるときにガイドとなる第２ガイド部１９が設けられている。第２ガイド部１９は、係止手段７の係止部２３と連結部材１１の係止片９とが係止状態にあるときに係止片９の背後に近接配置されて係止片９が背後に撓むのを防止する撓み防止部材としても機能する。
【００１４】
底板３は外形が天板１とほぼ同形状の卵形に形成され、その上面（組立状態において内側となる面）には、図５に示すように、天板１の第１ガイド部１７と相まって係止手段７の移動をガイドするガイド溝２１が設けられている。組立状態においては底板３は天板１にビス固定される（図２参照）。
【００１５】
係止手段７は、図６に示すように、一対の略Ｌ字形の部材からなる。係止手段７におけるＬ字の一辺には連結部材１１の係止片９と係止可能な係止部２３が形成されている。係止部２３は連結部材１１の係止片９と同様の係止爪を有し、該係止爪が外方に向くように配置されている。そして、係止部２３の先端部には連結部材１１の係止片９との係止動作のときにガイドとなる傾斜面が形成されている。
係止手段７におけるＬ字の他辺は幅広となっており、その中央には、一対の係止手段７を外方（係止方向）に常時付勢するコイルバネからなる付勢手段２５が設けられている。また、係止手段７におけるＬ字の他辺の端部は円弧状に形成され、この円弧状の部分が窓部１５から外方に突出して係止手段７の係止解除動作の操作部２７となっている（図１参照）。
係止手段７においては、一対の操作部２７を手指で摘んで付勢手段２５の付勢力に抗して互いに近づける方向に力を作用させることで、係止手段７を内側に移動して係止を解除することができる。
【００１６】
連結部材１１は、前述したように、可撓性を有する素材で所望長さに形成された帯状の帯材１２と、該帯材１２の両端に設置された係止部材１０から構成されている（図１、図２、図３、図５参照）。
係止部材１０は、その一端側には帯材１２を固定するための固定部が形成され、他端側には係止手段７の係止部２３と係止する一対の係止片９が形成されている。一対の係止片９は互いに対向するように内側に向けて配置されている。また、係止部２３と同様に、係止動作のときに係止部２３の傾斜面と相まって係止動作のガイドとなる傾斜面が形成されている。
なお、係止部材１０の固定部と帯材１２とは着脱可能に固定される。
【００１７】
上記のように構成された本実施の形態に係る扉開放防止具５の使用方法及び動作について説明する。
まず、固定保持部材５と連結部材１１を予め連結しておく。連結に際しては、固定保持部材５の開口部１３に連結部材１１の係止部材１０を挿入する。係止部材１０を挿入すると、係止部材１０の先端部が天板１の第２ガイド部１９にガイドされ、係止片９と係止手段７の係止部２３の傾斜面が当接する。その状態でさらに押し込むと、係止手段７が付勢手段２５の付勢力に抗して押し下げられ。そして、係止片９が係止部２３の係止爪を乗り越えると、係止手段２３が付勢手段２５の付勢力によって係止方向（外方向）に移動し、係止片９と係止部２３とが係止する。
【００１８】
このように、固定保持部材５と連結部材１１を連結した状態で、別に用意した両面接着テープ等を用いて、例えば、片開きの扉であれば一方の固定保持部材５を扉に固定し、他方の固定保持部材５をキャビネット本体に固定する。これによって、連結部材１１の帯材１２が扉と本体との間に配置され、いわゆるロック状態となって扉の開放を防止する。
扉を開放する際には、一対の操作部２７を手指で摘んで両者の間隔を狭める方向に力を作用させることにより、係止手段７が第１ガイド部１７にガイドされて内側に移動し、係止手段７の係止部２３と連結部材１１の係止片９の係止が外れ、この状態で連結部材１１を固定保持部材５から引き抜くことで連結部材１１の連結を放し、ロック状態を解除することができる。これによって扉の開放が可能となる。
【００１９】
扉開放防止具を扉に取り付けたいわゆるロック状態において、幼児が悪戯した際の作用について説明する。
幼児が係止手段７の操作部２７を悪戯によって内方に押し込んで、係止が外れたとしても幼児が操作部２７から手を放せば再び係止がなされるので、単に操作部２７を押し込むだけでロック解除になることはなく安全である。
また、幼児がむりやり扉を開こうとしたような場合には、連結部材１１の係止片９及び係止手段７の係止部２３に力が作用する。しかし、係止片９は、従来例のようにそれ自体の撓みによって係止動作をするのではないことから容易に撓む材料・形状にする必要がなく、上記のような力が作用しても撓みが生ずることが少なく、係止が外れることがない。
さらに、連結部材１１の係止部材１０における係止片９の背面側には天板１の第２ガイド部１９が配置されているので、仮に上記の力が作用して係止部材１０が外側に撓もうとしても第２ガイド部１９に保持されて撓みを防止され、これによっても係止が外れるのを防止できる。
またさらに、係止手段７と係止片９との間で係止及びその解除を繰り返したとしても、付勢手段２５は係止部２３とは別に設けたコイルバネであるから、係止機能と付勢機能を兼用させた従来の係止部材のように変形して係止力が弱くなることもない。
【００２０】
なお、上記の実施の形態において示した各部品の形状は一例であり、本発明の機能を発揮する限りにおいて適宜変更可能なことは言うまでもない。
例えば、本実施の形態においては、一対の固定保持部材５のそれぞれに一対の係止係止手段７を設けた例を示したが、一対の固定保持部材５のそれぞれに１個の係止係止手段７を設けるようにしてもよい。この場合であっても、係止の繰り返しや係止片９に力が作用したときに係止片９が変形して係止が外れることがなく、係止を確実にでき信頼性が高いという効果を奏することができる。
【００２１】
また、本実施の形態においては、係止手段の係止部２３を連結部材１１の係止片９の内側に配置し、操作部２７を手指でその距離を狭める方向に力を作用させることにより係止部２３を内側に移動させて係止解除を行う例を示した。しかし、本発明はこれに限られるものではなっく、例えば、係止手段の係止部２３を連結部材１１の係止片９の外側に配置し、操作部２７を手指でその距離を広げる方向に力を作用させることにより係止部２３を外側に移動させて係止解除を行うようにしてもよい。このようにすることで、幼児の悪戯による偶然の解除を効果的に防止できる。
【図面の簡単な説明】
【００２２】
【図１】本発明の一実施の形態に係る扉開放防止具の平面図である。
【図２】本発明の一実施の形態に係る扉開放防止具の底面図である。
【図３】本発明の一実施の形態に係る扉開放防止具の正面図である。
【図４】本発明の一実施の形態に係る扉開放防止具の右側面図である。
【図５】図１の矢視Ａ−Ａ断面図である。
【図６】図３の矢視Ｂ−Ｂ断面図である。
【符号の説明】
【００２３】
５  固定保持部材
７  係止手段
９  係止片
１０  係止部材
１１  連結部材
１２  帯材
２３  係止部
２５  付勢手段
２７  操作部
【図１】
2006070432.tif 000003
【図２】
2006070432.tif 000004
【図３】
2006070432.tif 000005
【図４】
2006070432.tif 000006
【図５】
2006070432.tif 000007
【図６】
2006070432.tif 000008